(57)【特許請求の範囲】
【請求項１】
筒状の芯にテープを重ね巻きした巻きテープの巻尾部分が、使用者の手で引き出され、この引き出されたテープを、その巻きテープから切り離すためのテープカッターであり、このテープカッターを構成している要素は、巻きテープの外周側に装着される本体部と、この本体部に付帯の、巻きテープに対する方向を案内する方向案内用左側部分と方向案内用右側部分、後方側に巻きテープから供給されるテープの入口、前方側に供給されたテープの出口、前方側端部に引き出されたテープを切断する刃、巻きテープの外周面に接する入口側支点と出口側支点、そして、巻きテープへの装着状態を保つために、巻きテープの内周面を本体部側に押圧する支持用ばねである。このように構成されたテープカッターにおいて、その巻きテープの巻尾部分を使用者が摘まんで引き出し易いようにするために、その本体部の前方側部分の左右方向の幅を、その巻きテープの幅よりも小さくしたことにより指通過用空間を設けたテープカッター。
【請求項２】
筒状の芯にテープを重ね巻きした巻きテープの巻尾部分が、使用者の手で引き出され、この引き出されたテープがテープカッターで切断され、この切断による新たな巻尾部分が、巻きテープの外周面に復帰して付着することを阻止するために、その新たな巻尾部分と巻きテープの外周面との間に、隔離用突起左側部分と隔離用突起右側部分を配置し、これらを本体部に付帯した請求項１に記載のテープカッター。
【発明の詳細な説明】
【０００１】
【発明の属する技術分野】
この発明は、筒状の芯にテープを重ね巻きした巻きテープの巻尾部分が、使用者の手で引き出され、この引き出されたテープを、その巻きテープから切り離すためのテープカッターに関する。
【０００２】
【従来の技術】
この明細書などにおいては、従来のテープカッターの第１実施例を従来例１とも称し、従来のテープカッターの第２実施例を従来例２とも称することとする。そして、この発明のテープカッターの第１実施例を発明実施例１とも称し、この発明のテープカッターの第２実施例を発明実施例２とも称することとする。
【０００３】
この明細書における従来のテープカッターの引用例として実用新案登録番号第３０２２８７２号を採用し、この引用例の実施例を示す図１５から図３１までを参照しながら次に説明する。なお、この外の従来のテープカッターとしては、実開昭４７−２２０８９号、特開昭５６−１６５６５８号、実開昭５６−１００４５４号、実開平２−２８８６５号、そして、実開平５−５３８８７号などがある。
【０００４】
従来例１（４０）を図１５から図２４までと、従来例２（５０）を図２５から図３１までに示している。これらの図面では、従来例１（４０）と従来例２（５０）の使用状態の図示を省略しているので、この代用として、この発明の実施例を示す図４と図５を参考にする。なお、図面では、テープの側端面が巻きテープ（１１）の側面に渦巻き状を呈している現象の図示を省略している。
【０００５】
この明細書などにおいては、テープカッターを説明する便宜のために、巻きテープから供給されるテープを受け入れる側を入口側あるいは後方側、その供給されたテープを出す側を出口側あるいは前方側、巻きテープの遠心方向側を外側、巻きテープの求心方向側を内側とし、そして、外側から視て前方側と後方側を前提として左側を左側ならびに右側を右側と称することとする。
【０００６】
図１５は、巻きテープ（１１）に装着された従来例１（４０）であり、巻きテープ（１１）から引き出されたテープ（１４）が切断される直前の状態を右後方から視た斜視図である。
【０００７】
図１６は、巻きテープ（１１）に装着された従来例１（４０）であり、巻きテープ（１１）から引き出されたテープ（１４）が切断される直前の状態を左前方から視た斜視図である。
【０００８】
図１７は、従来例１（４０）を外側の方から視た外観図である。
【０００９】
図１８は、従来例１（４０）を内側の方から視た外観図である。
【００１０】
図１９は、従来例１（４０）、従来例２（５０）、発明実施例１（６０）、および発明実施例２（７０）に使用されている支持用ばね例１（３０）の無負荷時の形状を示しており、従来例１（４０）、従来例２（５０）、発明実施例１（６０）、および発明実施例２（７０）の外側の方から視た外観図である。
【００１１】
図２０は、図１９の支持用ばね例１（３０）を従来例１（４０）、従来例２（５０）、発明実施例１（６０）、および発明実施例２（７０）の左側の方から視た外観図である。
【００１２】
図２１は、図１９の支持用ぱね例１（３０）を従来例１（４０）、従来例２（５０）、発明実施例１（６０）、および発明実施例２（７０）の前方から視た外観図である。
【００１３】
図２２は、図１７にＣ−Ｃで示している箇所の断面図であり、巻きテープ（１１）から引き出されたテープ（１４）が切断されたことにより巻末端（１３）となり、この巻末端（１３）が刃（２４）に付着している状態を示している。
【００１４】
図２３は、図２２における巻きテープ（１１）の残量が少なくなった状態を示す断面図である。
【００１５】
図２４は、使用者によって従来例１（４０）が図２２の状態から後方へ移動させられた状態を示す断面図であり、巻きテープ（１１）から引き出されたテープ（１４）が切断されたことにより巻末端（１３）となり、この巻末端（１３）が、刃（２４）に付着している状態、および、離脱した状態を３点鎖線で示している。
【００１６】
従来例１（４０）の構造は、支持用ばね例１（３０）以外の材料は一連の金属板であり、巻きテープ（１１）の外周面側に位置する本体部（２０）と、この本体部（２０）の、内側の後方側に入口側支点（２１）、内側の前方側に出口側支点（２２）、出口側支点（２２）の前方側に前方側部分（２３）、前方側端部に刃（２４）、左側に方向案内用左側部分（２５）、右側に方向案内用右側部分（２６）、後方側端部にばね受け用後端部分（２７）、そして、その方向案内用左側部分（２５）にばね掛け用側端部分（２８）を設け、そのばね受け用後端部分（２７）とばね掛け用側端部分（２８）に支持用ばね例１（３０）を掛け止めている。
【００１７】
従来例１（４０）の方向案内用左側部分（２５）の内側面から方向案内用右側部分（２６）の内側面までの距離は、巻きテープ（１１）の幅に対してゆとりを持たせるために、巻きテープ（１１）の幅よりも約１ｍｍ大きくしている。
【００１８】
従来例１（４０）の入口側支点（２１）から出口側支点（２２）までの間隔は、巻きテープ（１１）の使用に伴う外径の変化に対応するために、筒状の芯（１０）の外周の長さの約４分の１に相当する距離にしている。
【００１９】
支持用ばね例１(30)の構造は、単一素線のばね用線材を材料とし、おおむね方形の枠状となるように、本体部(20)の左右方向の幅に適合した長さの軸部分(31)、この軸部分(31)の一端に固定側腕部分(32)、他端に可動側腕部分(33)、そして、この可動側腕部分(33)の可動側端に可動側梁部分(34)を設けている。そして、この支持用ばね例１(30)の本体部(20)への取り付け形態は、軸部分(31)をばね受け用後端部分(27)に掛け止め、固定側腕部分(32)の先部分をばね掛け用側端部分(28)に掛け止めている。
【００２０】
支持用ばね例２は図示していないが、この支持用ばね例２の構造は、上記の支持用ばね例１（３０）において材料としている単一素線のばね用線材を、複数の素線のばね用線材に置き換えている。
【００２１】
なお、単一素線のばね用線材を複数素線化する手段の一例として、この支持用ばね例２では、その単一素線を可動側梁部分（３４）の開放側端でＵの字形に曲げている。
【００２２】
支持用ばね例１（３０）と支持用ばね例２の特性は、巻きテープ（１１）の残量が多くて厚い状態において、テープの引き出しに伴う巻きテープ（１１）の回転を妨げない程度の弾性力であり、その残量が少なくて薄い状態においても巻きテープ（１１）を保持することに足りる程度の弾性力であり、そして、巻きテープ（１１）に対するテープカッターの着脱時に過渡的に加えられる可能性がある強い外力にも対応できる特性にしている。
【００２３】
支持用ばね例１（３０）と支持用ぱね例２は、筒状の芯（１０）の内周面を入口側支点（２１）と出口側支点（２２）との間の巻きテープ（１１）の遠心方向に終始押すために、一連のばね用線材が全体的に撓み、かつ、捩れることによりばね性を呈する。ゆえに、簡単な構造ではあるが、巻きテープ（１１）の使用に伴う残量の厚さの変化に対する弾性力の変化が比較的に少ないばね特性を有している。
【００２４】
支持用ばね例２は、複数素線のばね用線材を材料としているので、単一素線のばね用線材を材料とした支持用ばね例１（３０）よりも柔軟性がある。なお、支持用ばね例２における素線数の場合よりも、更に柔軟性を要求する場合は、その素線数を多くする。
【００２５】
使用者が、従来例１（４０）を巻きテープ（１１）に装着する方法は、支持用ばね例１（３０）の可動側梁部分（３４）を弾性力に抗して図２２で示しているように展開し、この展開したことによりできた本体部（２０）と可動側梁部分（３４）との間の空間に、本体部（２０）の左側から巻きテープ（１１）の右側を定位置まで挿入する。
【００２６】
使用者が、巻きテープ（１１）に装着されている従来例１（４０）を巻きテープ（１１）から取り外す方法は、本体部（２０）を支持用ばね例１（３０）の弾性力に抗して、巻きテープ（１１）の遠心方向に引いたままで、右側の方向へ外れるまで移動する。
【００２７】
図２５は、巻きテープ（１１）に装着された従来例２（５０）であり、巻きテープ（１１）から引き出されたテープ（１４）が切断される直前の状態を右後方から視た斜視図である。
【００２８】
図２６は、巻きテープ（１１）に装着された従来例２（５０）であり、巻きテープ（１１）から引き出されたテープ（１４）が切断される直前の状態を左前方から視た斜視図である。
【００２９】
図２７は、従来例２（５０）を外側の方から視た外観図である。
【００３０】
図２８は、従来例２（５０）を内側の方から視た外観図である。
【００３１】
図２９は、図２７にＤ−Ｄで示している箇所の断面図であり、巻きテープ（１１）から引き出されたテープ（１４）が切断されたことにより巻末端（１３）となり、この巻末端（１３）が、刃（２４）に付着している状態、および、離脱した状態を３点鎖線で示している。
【００３２】
図３０は、図２９における巻きテープ（１１）の残量が少なくなった状態を示す断面図である。
【００３３】
図３１は、使用者によって従来例２（５０）が図２９の状態から後方へ移動させられた状態を示す断面図であり、巻尾部分（１２）が隔離用突起左側部分（５３）と隔離用突起右側部分（５４）によって後方に薙ぎ倒された状態を３点鎖線で示している。
【００３４】
従来例２（５０）の構造は、上記の従来例１（４０）と同様の構造に、次に挙げるものを追加している。
【００３５】
本体部（２０）の左側に隔離支持用左側部分（５１）と右側に隔離支持用右側部分（５２）を、これらの先側部分が刃（２４）と巻きテープ（１１）の外周面との間の位置となるように設けている。
【００３６】
その隔離支持用左側部分（５１）の先側部分に、右側方向に突起した隔離用突起左側部分（５３）を設けている。
【００３７】
その隔離支持用右側部分（５２）の先側部分に、左側方向に突起した隔離用突起右側部分（５４）を設けている。
【００３８】
それら隔離用突起部分（５３）（５４）の本体部（２０）側の方向で、テープ通過用の隙間が空いた位置に、テープの方向転換用梁部分（５５）を隔離支持用左側部分（５１）と隔離支持用右側部分（５２）との間に架け渡して設けている。
【００３９】
【発明が解決しようとする課題】
使用者が、従来例１（４０）を巻きテープ（１１）に装着し、および従来例２（５０）を巻きテープ（１１）に装着し、これらを使用しているときに、次のような事象がある。
【００４０】
事象１．図１５と図１６で示しているように、巻きテープ（１１）から巻尾部分（１２）が引き出され、この引き出されたテープ（１４）が刃（２４）で切断されると、図２２および図２３に示しているように、切断されたことにより巻末端（１３）となり、この巻末端（１３）が刃（２４）に付着することがある。
【００４１】
なお、このように切断されたことによる巻末端（１３）が刃（２４）に付着する現象は、粘着性や静電気を有するテープにおいて多い。
【００４２】
事象２．上記の事象１．のように巻末端（１３）が刃（２４）に付着していると、使用者が、次にテープを使用するために巻尾部分（１２）を摘まんで引き出そうとするとき、巻尾部分（１２）の外側に本体部（２０）の前方側部分（２３）が覆い被さった状態になっているので、この状態では巻尾部分（１２）を摘まむことが困難である。
【００４３】
事象３．上記の事象２．に対する対策としては、図２４に示しているように、使用者が、巻きテープ（１１）に対して従来例１（４０）を後方に移動させ、この後方に移動させたことによりループ状になった巻尾部分（１２）を摘まんで引っ張ることにより、その刃（２４）から巻末端（１３）を離脱させている。
【００４４】
事象４．上記の事象３．のように巻尾部分（１２）がループ状にならないで、その後方に移動させたことにより、図２４に３点鎖線で示しているように刃（２４）から巻末端（１３）が離脱したときは、この巻末端（１３）に伴って離脱した巻尾部分（１２）を摘まむことになる。
【００４５】
事象５．巻きテープ（１１）から引き出されたテープ（１４）が切断されたことにより巻末端（１３）となり、この巻末端（１３）が刃（２４）に付着しなかった。あるいは、上記の事象４．のように巻末端（１３）が、その刃（２４）から離脱した場合は、巻きテープ（１１）の材質がポリプロピレンなどのような合成樹脂では、テープの静電気によるテープ相互間の吸引力や風力などにより、その巻末端（１３）が巻きテープ（１１）の外周面に復帰して付着することが多い。
【００４６】
このように、巻末端（１３）が巻きテープ（１１）の外周面に復帰して付着したとき、使用者は、次に巻きテープ（１１）の巻尾部分（１２）を摘まんで引き出すために、巻きテープ（１１）の外周面に付着している巻末端（１３）を、爪の先端などで剥ぎ起こして摘まみ代を作らなければならない。この作業が難作業である。
【００４７】
事象６．事象５．のようにテープが切断された後に巻末端（１３）が巻きテープ（１１）の外周面に復帰して付着することを阻止する手段として従来例２（５０）があり、図２５から図３１までに示している。この従来例２（５０）においては、使用者が、刃（２４）に巻末端（１３）が付着している状態の巻尾部分（１２）を摘まむために、従来例２（５０）の前方側部分（２３）と巻尾部分（１２）との間の狭い隙間に、その左側あるいは右側から指を差し込まなければならないことが不便である。
【００４８】
事象７．従来例２（５０）においては、使用者が、上記の事象３．のように巻きテープ（１１）に対して従来例２（５０）を後方に移動させると、図３１に示すように巻尾部分（１２）が隔離用突起左側部分（５３）と隔離用突起右側部分（５４）によって後方に薙ぎ倒され、あるいは、更に後方へ移動させると巻末端（１３）は巻きテープ（１１）の外周面に復帰して付着するという不都合がある。
【００４９】
上記の事象１．から事象７．までの内容を要約して課題とし、次に挙げる。
【００５０】
課題１．従来例１（４０）においては、使用者が、巻きテープ（１１）から引き出したテープ（１４）を切断し、次に、その巻きテープ（１１）の巻尾部分（１２）を摘まんで引き出そうとするとき、摘まみ代としての巻尾部分（１２）が前方側部分（２３）の内側に位置しているので摘まみ難い。ゆえに、使用者は、摘まみ代としての巻尾部分（１２）を従来例１（４０）の前方に露出させるために、巻きテープ（１１）に対して従来例１（４０）を後方へ移動させる操作を毎回行わなければならない。
【００５１】
このように、テープカッターを使用する作業において、巻きテープ(11)から引き出したテープを切断する度に、従来例１(40)を後方へ移動させる操作が煩わしい。この不便が低作業能率の要因であり、これが問題である。
【００５２】
課題２．従来例２（５０）においては、使用者が、巻きテープ（１１）から引き出したテープ（１４）を切断したことにより巻末端（１３）となり、この巻末端（１３）が刃（２４）に付着すると、次に、巻尾部分（１２）を引き出すために、前方側部分（２３）と巻尾部分（１２）との間の狭い隙間に指を差し込んで巻尾部分（１２）を摘ままなけれぱならない、という不便がある。
【００５３】
このように、テープカッターを使用する作業における不便は、とくに頻繁な使用において問題である。
【００５４】
この発明の目的は、上記の課題１．と課題２．を解決し、かつ、頻繁な使用においても作業性の良いテープカッターを提供することである。
【００５５】
【課題を解決するための手段】
上記の従来のテープカッターの使用時において、使用者が巻きテープの巻末端を引き出そうとするとき、巻尾部分を摘まむことの障害となっている部分は、本体部の前方側部分であり、この前方側部分の左右方向の幅を、その巻きテープの幅よりも小さくすることにより、その巻尾部分を摘まもうとする指が通過できる指通過用空間を設ける。
【００５６】
【発明の実施の形態】
この発明の実施の形態などを、実施例の図面を参照しながら次に説明する。
【００５７】
発明実施例１(60)の構造は、上記の従来例１(40)において、使用者が、巻きテープ(11)の巻尾部分(12)を引き出そうとするとき、その巻尾部分(12)を摘まむことの障害となっていた本体部(20)の前方側部分(23)の左右方向の幅を、新たに、その巻きテープ(11)の幅よりも小さくしたことにより、その巻尾部分(12)を摘まもうとする指が通過できる指通過用空間(61)を設けたものであり、これを図１から図９までに示している。
【００５８】
図１、図８、そして、図９は、巻きテープ（１１）に装着された発明実施例１（６０）において、巻きテープ（１１）から引き出されたテープ（１４）が切断された直後であり、この切断されたことにより巻末端（１３）となり、この巻末端（１３）が刃（２４）に付着している状態を示している。
【００５９】
図１は、巻きテープ(11)に装着された発明実施例１(60)であり、巻きテープ(11)から引き出されたテープ(14)が切断されたことにより巻末端(13)となり、この巻末端(13)が刃(24)に付着している状態と、巻尾部分(12)が左手の指で摘ままれている状態を右後方から視た斜視図である。なお、この図１では、巻きテープ(11)と発明実施例１(60)を掴まえている右手の図示を省略している。
【００６０】
図２は、巻きテープ（１１）に装着された発明実施例１（６０）であり、巻きテープ（１１）から引き出されたテープ（１４）が切断される直前の状態を右後方から視た斜視図である。
【００６１】
図３は、巻きテープ（１１）に装着された発明実施例１（６０）であり、巻きテープ（１１）から引き出されたテープ（１４）が切断される直前の状態を左前方から視た斜視図である。
【００６２】
図４は、巻きテープ(11)に装着された発明実施例１(60)であり、これらが右手で掴まえられている状態の例１を左前方から視た斜視図である。
【００６３】
図５は、巻きテープ(11)に装着された発明実施例１(60)であり、これらが右手で掴まえられている状態の例２を左前方から視た斜視図である。なお、巻きテープ(11)の大きさや使用する上での都合により、これら以外の掴み方になる場合もある。
【００６４】
図６は、発明実施例１（６０）を外側の方から視た外観図である。
【００６５】
図７は、発明実施例１（６０）を内側の方から視た外観図である。
【００６６】
図８は、図６にＡ−Ａで示している箇所の断面図であり、巻きテープ（１１）から引き出されたテープ（１４）が切断されたことにより巻末端（１３）となり、この巻末端（１３）が刃（２４）に付着している状態を示している。
【００６７】
図９は、図８における巻きテープ（１１）の残量が少なくなった状態を示している。
【００６８】
発明実施例２(70)の構造は、上記の従来例２(50)において、使用者が、巻きテープ(11)の巻尾部分(12)を引き出そうとするとき、巻尾部分(12)を摘まむことの障害となっていた本体部(20)の前方側部分(23)の左右方向の幅を、新たに、その巻きテープ(11)の幅よりも小さくしたことにより、その巻尾部分(12)を摘まもうとする指が通過できる指通過用空間(61)を設けたものであり、これを図10から図14までに示している。
【００６９】
図１０は、巻きテープ（１１）に装着された発明実施例２（７０）であり、巻きテープ（１１）から引き出されたテープ（１４）が切断される直前の状態を左前方から視た斜視図である。
【００７０】
図１１は、発明実施例２（７０）を外側の方から視た外観図である。
【００７１】
図１２は、発明実施例２（７０）を内側の方から視た外観図である。
【００７２】
図１３は、図１１にＢ−Ｂで示している箇所の断面図であり、巻きテープ（１１）から引き出されたテープ（１４）が切断されたことにより巻末端（１３）となり、この巻末端（１３）が、刃（２４）に付着している状態、および、何等かの理由によりその巻末端（１３）が刃（２４）から離脱している状態を３点鎖線で示している。
【００７３】
図１４は、図１３における巻きテープ（１１）の残量が少なくなった状態を示している。
【００７４】
なお、上記の発明実施例１（６０）と発明実施例２（７０）に使用した材質は、従来例１（４０）と従来例２（５０）に使用した材質と同様の金属にしたが、対象となる巻きテープ（１１）の大きさやテープの強さなどの特性に対応できる性能の材質の中から、最も経済的に効率の良いものを選択するべきである。
【００７５】
例えぱ、刃（２４）と、支持用ばね例１（３０）あるいは支持用ばね例２の材質を金属とし、この外の本体部（２０）と一連になっている部分の材質を合成樹脂にする。あるいは、全体の材質を合成樹脂にすることも可能である。
【００７６】
【発明の効果】
この発明は、課題を解決する手段として、使用者が、巻きテープの巻尾部分を引き出し、このテープを切断したことにより巻末端となり、この巻末端が刃に付着していても、次に、巻尾部分を引き出すとき、その巻尾部分を摘まみ易くするために、本体部の前方側部分の左右方向の幅を、巻きテープの幅よりも小さくしたしたことにより、その巻尾部分を摘まもうとする指が通過できる指通過用空間を設けた。この指通過用空間を設けたことにより、次に挙げるような効果が認められた。
【００７７】
効果１．使用者が、巻きテープ（１１）から引き出したテープ（１４）を切断し、次に、その巻きテープ（１１）の巻尾部分（１２）を摘まんで引き出そうとするとき、従来のテープカッターにおいては、摘まみ代としての巻尾部分（１２）をテープカッターから露出させて摘まみ易くするために、巻きテープ（１１）に対してテープカッターを後方へ移動させる操作を毎回行っていた。しかし、この発明においては、その操作が不要になった。
【００７８】
効果２．使用者が、巻きテープ（１１）から引き出したテープ（１４）を切断したことにより巻末端（１３）となり、この巻末端（１３）が刃（２４）に付着していても、次に、引き出そうとする巻尾部分（１２）を指で摘まむことが容易に出来るようになった。
【００７９】
効果３．使用者が、巻きテープ（１１）から引き出したテープ（１４）を切断したことにより巻末端（１３）となり、この巻末端（１３）が刃（２４）から離脱していても、次に、引き出す巻尾部分（１２）を摘まもうとする指の動きに対して、指通過用空間（６１）が、ゆとりの空間として機能するので、その巻尾部（１２）を指で摘まむことが容易に出来るようになった。
【００８０】
上記の効果１．から効果３．までの効果により課題１．と課題２．の問題が解決した。そして、頻繁な使用においても作業性の良いテープカッターを提供することが出来た。ゆえに、この発明の目的は達成した。
【図面の簡単な説明】
【図１】巻きテープに装着された発明実施例１であり、巻きテープから引き出されたテープが切断されたことにより巻末端となり、この巻末端が刃に付着している状態と、巻尾部分が左手の指で摘ままれている状態を右後方から視た斜視図である。なお、この図１では、巻きテープと発明実施例１を掴まえている右手の図示を省略している。
【図２】巻きテープに装着された発明実施例１であり、巻きテープから引き出されたテープが切断される直前の状態を右後方から視た斜視図である。
【図３】巻きテープに装着された発明実施例１であり、巻きテープから引き出されたテープが切断される直前の状態を左前方から視た斜視図である。
【図４】巻きテープに装着された発明実施例１であり、これらが右手で掴まえられている状態の例１を左前方から視た斜視図である。
【図５】巻きテープに装着された発明実施例１であり、これらが右手で掴まえられている状態の例２を左前方から視た斜視図である。
【図６】発明実施例１を外側の方から視た外観図である。
【図７】発明実施例１を内側の方から視た外観図である。
【図８】図６にＡ−Ａで示している箇所の断面図であり、巻きテープから引き出されたテープが切断されたことにより巻末端となり、この巻末端が刃に付着している状態を示している。
【図９】図８における巻きテープの残量が少なくなった状態を示す断面図である。
【図１０】巻きテープに装着された発明実施例２であり、巻きテープから引き出されたテープが切断される直前の状態を左前方から視た斜視図である。
【図１１】発明実施例２を外側の方から視た外観図である。
【図１２】発明実施例２を内側の方から視た外観図である。
【図１３】図１１にＢ−Ｂで示している箇所の断面図であり、巻きテープから引き出されたテープが切断されたことにより巻末端となり、この巻末端が、刃に付着している状態、および、何等かの理由によりその巻末端が刃から離脱している状態を３点鎖線で示している。
【図１４】図１３における巻きテープの残量が少なくなった状態を示す断面図である。
【図１５】巻きテープに装着された従来例１であり、巻きテープから引き出されたテープが切断される直前の状態を右後方から視た斜視図である。
【図１６】巻きテープに装着された従来例１であり、巻きテープから引き出されたテープが切断される直前の状態を左前方から視た斜視図である。
【図１７】従来例１を外側の方から視た外観図である。
【図１８】従来例１を内側の方から視た外観図である。
【図１９】従来例１、従来例２、発明実施例１、および発明実施例２に使用されている支持用ばね例１の無負荷時の形状であり、従来例１、従来例２、発明実施例１、および発明実施例２の外側の方から視た外観図である。
【図２０】図１９の支持用ばね例１を従来例１、従来例２、発明実施例１、および発明実施例２の左側の方から視た外観図である。
【図２１】図１９の支持用ぱね例１を従来例１、従来例２、発明実施例１、および、発明実施例２の前方から視た外観図である。
【図２２】図１７にＣ−Ｃで示している箇所の断面図であり、巻きテープから引き出されたテープが切断されたことにより巻末端となり、この巻末端が刃に付着している状態を示している。
【図２３】図２２における巻きテープの残量が少なくなった状態を示す断面図である。
【図２４】従来例１が図22の状態から後方へ移動させられた状態を示す断面図であり、巻きテープから引き出されたテープが切断されたことにより巻末端となり、この巻末端が刃に付着している状態、および、離脱した状態を３点鎖線で示している。
【図２５】巻きテープに装着された従来例２であり、巻きテープから引き出されたテープが切断される直前の状態を右後方から視た斜視図である。
【図２６】巻きテープに装着された従来例２であり、巻きテープから引き出されたテープが切断される直前の状態を左前方から視た斜視図である。
【図２７】従来例２を外側の方から視た外観図である。
【図２８】従来例２を内側の方から視た外観図である。
【図２９】図２７にＤ−Ｄで示している箇所の断面図であり、巻きテープから引き出されたテープが切断されたことにより巻末端となり、この巻末端が、刃に付着している状態、および、離脱した状態を３点鎖線で示している。
【図３０】図２９における巻きテープの残量が少なくなった状態を示す断面図である。
【図３１】従来例２が図29の状態から後方へ移動させられた状態を示す断面図であり、巻尾部分が隔離用突起左側部分と隔離用突起右側部分によって後方に薙ぎ倒された状態を３点鎖線で示している。
【符号の説明】
１０  筒状の芯
１１  巻きテープ
１２  巻尾部分
１３  巻末端
１４  引き出されたテープ、あるいは、引き出したテープ
２０  本体部
２１  入口側支点
２２  出口側支点
２３  前方側部分
２４  刃
２５  方向案内用左側部分
２６  方向案内用右側部分
２７  ばね受け用後端部分
２８  ばね掛け用側端部分
３０  支持用ばね例１
３１  軸部分
３２  固定側腕部分
３３  可動側腕部分
３４  可動側梁部分
４０  従来例１
５０  従来例２
５１  隔離支持用左側部分
５２  隔離支持用右側部分
５３  隔離用突起左側部分
５４  隔離用突起右側部分
５５  方向転換用梁部分
６０  発明実施例１
６１  指通過用空間
７０  発明実施例２
【図１】
0003597650.tif 000002
【図２】
0003597650.tif 000003
【図３】
0003597650.tif 000004
【図４】
0003597650.tif 000005
【図５】
0003597650.tif 000006
【図６】
0003597650.tif 000007
【図７】
0003597650.tif 000008
【図８】
0003597650.tif 000009
【図９】
0003597650.tif 000010
【図１０】
0003597650.tif 000011
【図１２】
0003597650.tif 000012
【図１３】
0003597650.tif 000013
【図１４】
0003597650.tif 000014
【図１５】
0003597650.tif 000015
【図１６】
0003597650.tif 000016
【図１７】
0003597650.tif 000017
【図１８】
0003597650.tif 000018
【図１９】
0003597650.tif 000019
【図２０】
0003597650.tif 000020
【図２１】
0003597650.tif 000021
【図２２】
0003597650.tif 000022
【図２３】
0003597650.tif 000023
【図２５】
0003597650.tif 000024
【図２６】
0003597650.tif 000025
【図２７】
0003597650.tif 000026
【図２８】
0003597650.tif 000027
【図２９】
0003597650.tif 000028
【図３０】
0003597650.tif 000029
【図３１】
0003597650.tif 000030
【図１１】
0003597650.tif 000031
【図２４】
0003597650.tif 000032